(57)【特許請求の範囲】
【請求項１】
楽音信号の生成に用いられる複数のオリジナル音色データが記憶された第１の音色記憶手段と、
楽音信号の生成に用いられる複数のユーザ音色データが記憶された第２の音色記憶手段であって、各ユーザ音色データは、オリジナル音色データが編集された音色データであるものと、
これらオリジナル音色データ及びユーザ音色データの中から所望の音色データを指定する音色指定手段と、
音色指定手段により指定された音色データに関連するオーディオ楽曲データを検索し、検索されたオーディオ楽曲データを収録した楽曲データ集の情報を取得する楽曲情報取得手段であって、当該音色データがオリジナル音色データの場合は、このオリジナル音色データを指定する検索用音色指定情報に従い、当該音色データがユーザ音色データの場合には、このユーザ音色データの編集対象とされたオリジナル音色データを指定する検索用音色指定情報に従って、当該オーディオ楽曲データを検索するものと、
楽曲情報取得手段により取得された楽曲データ集の情報を提示する楽曲情報提示手段と
を具備することを特徴とする電子音楽装置。
【請求項２】
複数のオーディオ楽曲データの夫々に音色指定情報を関連付ける関連付け手段であって、オリジナル音色データを使用したオーディオ楽曲データには、このオリジナル音色データを指定する音色指定情報を関連付け、オリジナル音色データが編集された音色データを使用したオーディオ楽曲データには、この音色データの編集対象とされたオリジナル音色データを指定する音色指定情報を関連付ける関連付け手段がこの電子音楽装置の外部或いは内部に設けられ、
楽曲情報取得手段は、関連付け手段により、検索用音色指定情報に対応する音色指定情報が関連付けられたオーディオ楽曲データを検索する
ことを特徴とする請求項１に記載の電子音楽装置。
【請求項３】
さらに、
前記楽曲情報取得手段により取得された楽曲データ集の情報に対応する楽曲データ集に収録されたオーディオ楽曲データについて、試聴及び／又は購入のための処理を行う試聴購入処理手段
を具備することを特徴とする請求項１又は２に記載の電子音楽装置。
【発明の詳細な説明】
【技術分野】
【０００１】
この発明は、装置に用意された音色データについてその使用例をユーザに知らせることができる電子音楽装置に関する。
【背景技術】
【０００２】
従来より、電子楽器などの電子音楽装置においては、楽音信号の生成のために多数の音色データが用意されており、これらの音色データの中から選ばれた音色データに従って演奏を楽しむことができる。例えば、非特許文献１に示すようなシンセサイザーと呼ばれる電子楽器では、ボイスと呼ばれる音色データが利用され、非特許文献２に示されるように膨大なボイスが用意されている。これらのボイスは、ピアノ、オルガン、ギター等のカテゴリー（楽器種類）で分類されており、ユーザは、このようなボイスを自由に選択して演奏などに利用することができる。
【先行技術文献】
【非特許文献】
【０００３】
【非特許文献１】「ＭＯＴＩＦ ＸＳ 取扱説明書」、ヤマハ株式会社、２００７年、第８８、８９、９３頁（http://www2.yamaha.co.jp/manual/pdf/emi/japan/synth/motifxs_ja_om_d0.pdf）
【非特許文献２】「ＭＯＴＩＦ ＸＳ データリスト」、ヤマハ株式会社、２００７年、第２〜９頁（http://www2.yamaha.co.jp/manual/pdf/emi/japan/synth/motifxs_en_dl_c0.pdf）
【０００４】
しかしながら、膨大なボイス（音色）を選択してどの様に使いこなせば良いのかをユーザに提供する仕組みが無く、ユーザが使用するボイスは限られてしまい、様々なボイスを使いこなすのが困難である。特に、或るボイスについて、実際にレコーディングに使われた例にはどのような音楽ＣＤがあるのかを知りたい、或いは、或るボイスを使うと、どんな音楽ＣＤの録音に近い演奏ができそうなのかを知りたいと思っても、このようなボイスの使用例を知ることができない。従って、ボイス名（音色名）から類推したり、ボイスのカテゴリーから類推するしかなかった。
【発明の概要】
【発明が解決しようとする課題】
【０００５】
この発明は、このような事情に鑑み、装置に搭載された音色データが使用されている具体的な楽曲例を紹介することができる電子音楽装置を提供することを目的とする。
【課題を解決するための手段】
【０００６】
この発明の主たる特徴に従うと、楽音信号の生成に用いられる複数のオリジナル音色データ（ＶＰ）が記憶された第１の音色記憶手段（３）と、楽音信号の生成に用いられる複数のユーザ音色データ（ＶＵ）が記憶された第２の音色記憶手段（４）であって、各ユーザ音色データ（ＶＵ）は、オリジナル音色データ（ＶＰ）が編集された音色データであるもの（４）と、これらオリジナル音色データ（ＶＰ）及びユーザ音色データ（ＶＵ）の中から所望の音色データを指定する音色指定手段（Ｓ１）と、音色指定手段（Ｓ１）により指定された音色データに関連するオーディオ楽曲データ（ＡＤ）を検索し、検索されたオーディオ楽曲データ（ＡＤ）を収録した楽曲データ集（アルバム）の情報（タグ情報Ｔｇ）を取得する楽曲情報取得手段（Ｓ４）であって、当該音色データがオリジナル音色データ（ＶＰ）の場合は、このオリジナル音色データ（ＶＰ）を指定する検索用音色指定情報（オリジナルボイス指定情報）に従い、当該音色データがユーザ音色データ（ＶＵ）の場合には、このユーザ音色データ（ＶＵ）の編集対象とされたオリジナル音色データ（ＶＰ）を指定する検索用音色指定情報（オリジナルボイス指定情報）に従って、当該オーディオ楽曲データ（ＡＤ）を検索するもの（Ｓ４）と、楽曲情報取得手段（Ｓ４）により取得された楽曲データ集の情報（Ｔｇ）を提示する楽曲情報提示手段（Ｓ５）とを具備する電子音楽装置（ＥＭ）〔請求項１〕が提供される。なお、括弧書きは、理解の便のために付記した実施例の参照記号や用語等であり、以下においても同様である。
【０００７】
この発明による電子音楽装置（ＥＭ）では、  複数のオーディオ楽曲データ（ＡＤ）の夫々に音色指定情報（Ｖｓ）を関連付ける関連付け手段（ＲＲ：ＤＢｓ，ＤＢｅ）であって、オリジナル音色データ（ＶＰ）を使用したオーディオ楽曲データ（ＡＤ）には、このオリジナル音色データ（ＶＰ）を指定する音色指定情報（Ｖｓ）を関連付け、オリジナル音色データ（ＶＰ）が編集された音色データを使用したオーディオ楽曲データ（ＡＤ）には、この音色データの編集対象とされたオリジナル音色データ（ＶＰ）を指定する音色指定情報（Ｖｓ）を関連付ける関連付け手段（ＲＲ：ＤＢｓ，ＤＢｅ）がこの電子音楽装置（ＥＭ）の外部或いは内部に設けられ〔図２（１），（２）〕、楽曲情報取得手段（Ｓ４）は、関連付け手段（ＲＲ：ＤＢｓ，ＤＢｅ）により、検索用音色指定情報（オリジナルボイス指定情報）に対応する音色指定情報（Ｖｓ）が関連付けられたオーディオ楽曲データ（ＡＤ）を検索する〔請求項２〕ように構成することができる。
この発明による電子音楽装置（ＥＭ）は、さらに、楽曲情報取得手段（Ｓ４）により取得された楽曲データ集の情報（Ｔｇ）に対応する楽曲データ集に収録されたオーディオ楽曲データ（Ａｄａ，Ａｄｂ）について、試聴及び／又は購入のための処理を行う試聴購入処理手段（Ｓ９，Ｓ１０）を具備する〔請求項３〕ように構成することができる。
【発明の効果】
【０００８】
この発明の主たる特徴による電子音楽装置（ＥＭ）では（請求項１）、楽音信号の生成に用いられる複数のオリジナル音色データ（ＶＰ）が記憶された第１の音色記憶手段（３）にプリセットされており、楽音信号の生成に用いられる複数のユーザ音色データ（ＶＵ）が第２の音色記憶手段（４）に記憶されている。ここで、各ユーザ音色データ（ＶＵ）は、オリジナル音色データ（ＶＰ）が編集された音色データである。例えば、演奏操作（７）による演奏のために、これらオリジナル音色データ（ＶＰ）及びユーザ音色データ（ＶＵ）の中から所望の音色データを指定すると（Ｓ１＝ＹＥＳ）、指定された音色データに関連するオーディオ楽曲データ（ＡＤ）が検索され、検索されたオーディオ楽曲データ（ＡＤ）を収録した楽曲データ集（アルバム）に関する情報（タグ情報Ｔｇ）が取得される（Ｓ４）。この際、当該音色データがオリジナル音色データ（ＶＰ）の場合は、このオリジナル音色データ（ＶＰ）を指定する検索用音色指定情報（オリジナルボイス指定情報）に従い、また、当該音色データがユーザ音色データ（ＶＵ）の場合には、このユーザ音色データ（ＶＵ）の編集対象とされたオリジナル音色データ（ＶＰ）を指定する検索用音色指定情報（オリジナルボイス指定情報）に従って、当該オーディオ楽曲データ（ＡＤ）が検索される。取得された情報（Ｔｇ）は、例えば、指定された音色データ（又は類似の音色データ）をプロの演奏家が使用して実際に演奏したオーディオ楽曲データが入っているアルバムの紹介情報であり、これをディスプレイ（９）に表示する等の方法で、ユーザに提示される。
従って、この発明によれば、電子音楽装置に搭載された音色データの中からオリジナル音色データが指定された場合は、当該オリジナル音色データが使用されている具体的な楽曲例をユーザに紹介し、ユーザ音色データが指定された場合には、当該ユーザ音色データの編集対象とされたオリジナル音色データが使用されている具体的な楽曲例をユーザに紹介することができ、これにより、ユーザは、電子音楽装置に搭載された音色をどのように使えばよいかが分かり、プロと同じ音色でプレイする楽しさをユーザに提供することができる。
【０００９】
この発明による電子音楽装置（ＥＭ）では、この装置（ＥＭ）の外部或いは内部に、複数のオーディオ楽曲データ（ＡＤ）の夫々に音色指定情報（Ｖｓ）を関連付ける関連付け手段（ＲＲ：ＤＢｓ，ＤＢｅ）であって、オリジナル音色データ（ＶＰ）を使用したオーディオ楽曲データ（ＡＤ）には、このオリジナル音色データ（ＶＰ）を指定する音色指定情報（Ｖｓ）を関連付け、オリジナル音色データ（ＶＰ）が編集された類似の音色データを使用したオーディオ楽曲データ（ＡＤ）には、この音色データの編集対象とされたオリジナル音色データ（ＶＰ）を指定する音色指定情報（Ｖｓ）を関連付ける関連付け手段（ＲＲ：ＤＢｓ，ＤＢｅ）が設けられ〔図２（１），（２）〕、オーディオ楽曲データ検索の際は（Ｓ４）、関連付け手段（ＲＲ：ＤＢｓ，ＤＢｅ）によって、検索用音色指定情報（オリジナルボイス指定情報）に対応する音色指定情報（Ｖｓ）が関連付けられたオーディオ楽曲データ（ＡＤ）が検索される（請求項２）。つまり、検索されるオーディオ楽曲データ（ＡＤ）には、オリジナル音色データ（ＶＰ）を使用したものと、オリジナル音色データ（ＶＰ）が編集された音色データを使用したものがあるが、オリジナル音色データとユーザ音色データ（ＶＵ）の何れが指定された場合でも、検索用音色指定情報（オリジナルボイス指定情報）に対応する音色指定情報（Ｖｓ）でオリジナル音色データ（ＶＰ）が指定され、このオリジナル音色データ（ＶＰ）を使用したオーディオ楽曲データ（ＡＤ）や、このオリジナル音色データ（ＶＰ）から編集された類似の音色データを使用したオーディオ楽曲データ（ＡＤ）が検索される。
従って、この発明によれば、電子音楽装置に搭載された音色データの中からオリジナル音色データが指定された場合は、当該オリジナル音色データだけでなく、このオリジナル音色データから編集された類似の音色データが使用されている具体的な楽曲例をユーザに紹介し、ユーザ音色データが指定された場合にも、当該ユーザ音色データの編集対象とされたオリジナル音色データだけでなく、このオリジナル音色データから編集された類似の音色データが使用されている具体的な楽曲例をユーザに紹介することができ、これにより、ユーザは、電子音楽装置に搭載された音色をどのように使えばよいかが分かり、プロと同じ音色でプレイする楽しさをユーザに提供することができる。
この発明による電子音楽装置では、さらに、取得された楽曲データ集の情報（Ｔｇ）に対応する楽曲データ集に収められたオーディオ楽曲データ（Ａｄａ，Ａｄｂ）について、試聴及び／又は購入のための処理（Ｓ９，Ｓ１０）が行われる（請求項３）。
従って、この発明によれば、ユーザは、電子音楽装置に搭載された音色データが使用されている具体的な楽曲例を実際に電子音楽装置上で聴取することができる。
【図面の簡単な説明】
【００１０】
【図１】この発明の一実施例による電子音楽装置のハードウエア構成を示す。
【図２】この発明の一実施例による音色指定楽曲紹介システムの構成例を示す。
【図３】この発明の一実施例による音色指定楽曲紹介処理フローの例を示す。
【発明を実施するための形態】
【００１１】
〔ハードウエア構成例〕
図１は、この発明の一実施例による電子音楽装置のハードウエア構成例である。この発明の一実施例による電子音楽装置ＥＭは、シンセサイザー等の音楽情報処理専用の電子楽器、或いは、このような電子楽器と同等の音楽情報処理機能を有するパーソナルコンピュータ（ＰＣ）のような汎用の情報処理装置が用いられ、中央処理装置（ＣＰＵ）１、ランダムアクセスメモリ（ＲＡＭ）２、読出専用メモリ（ＲＯＭ）３、不揮発記憶部（不揮発メモリともいう）４、ＵＳＢインターフェース（ＵＳＢＩ／Ｆ）５、音楽ＣＤドライブ６、演奏操作入力部７、設定操作入力部８、表示部９、音源／効果部１０、ＭＩＤＩインターフェース（ＭＩＤＩＩ／Ｆ）１１、通信インターフェース（通信Ｉ／Ｆ）１２等の要素を備え、これら要素１〜１２はバス１３を介して互いに接続される。
【００１２】
装置全体を制御するＣＰＵ１は、ＲＡＭ２及びＲＯＭ３と共に、各種制御プログラムに従って各種処理を実行するデータ処理部を構成し、各種制御プログラムに従い、タイマ１４によるクロックを利用して音色指定楽曲紹介処理を含む種々の処理を実行する。ＲＡＭ２は、これらの処理に際して必要な各種データを一時的に記憶するためのワーク領域として用いられ、例えば、テンポラリメモリの領域には、試聴用オーディオ楽曲データ（Ａｄａ）を所定時間だけ一時的に記憶することができる。ＲＯＭ３は、音色指定楽曲紹介処理プログラムを含む各種制御プログラムや必要な制御データを記憶しておくことができ、例えば、演奏データ記憶エリアにはプリセット演奏データが記憶されており、プリセットボイス領域には多数の音色データ（プリセットボイスＶＰ）が記憶されている。なお、「ボイス」は、「音色」或いは「音色データ」を意味する。
【００１３】
不揮発記憶部４は、ハードディスク（ＨＤ）やフラッシュメモリ等の半導体メモリなどの不揮発性記憶媒体を用いた内蔵記憶手段であり、必要な任意のデータを記録することができる。例えば、演奏データ記憶エリアには外部から取得した演奏データを記憶したり、ユーザボイス領域には複数のユーザボイスデータ（ＶＵ）を記憶することができるだけでなく、オーディオエリアには外部から取得したオーディオ楽曲データ（Ａｄｂ）を記憶することができる。なお、演奏データはＭＩＤＩ等のイベント形式の音楽データである。
【００１４】
ＵＳＢＩ／Ｆ５は、その接続スロットに装着（接続）された外部ＵＳＢ機器との間で種々の情報授受を行うことができる。例えば、図示のように、外部ＵＳＢ機器としてＵＳＢフラッシュメモリ（単にＵＳＢメモリともいう）１５の接続が可能であり、ＵＳＢメモリ１５には、自身のメモリ内に記憶されたオーディオ楽曲データを自身で再生する機能を有する携帯オーディオ機器が含まれる。音楽ＣＤドライブ（オーディオＣＤドライブともいう）６は、着脱可能な記憶媒体である音楽用コンパクトディスク（音楽ＣＤ又はオーディオＣＤという）１６を駆動する装置であり、音楽ＣＤ１６には、例えば、複数のオーディオ楽曲データから成る楽曲データ集（アルバムともいう）を記録したものが含まれる。
【００１５】
演奏操作入力部（演奏操作部ともいう）７は、鍵盤などの演奏操作子と、演奏操作子の演奏操作を検出する演奏操作検出回路から成り、演奏操作の内容に対応する演奏操作情報をデータ処理部（１〜３）に導入し、データ処理部は、この演奏操作情報に基づく演奏データを生成して音源／効果部１０に送る。設定操作入力部（パネル操作部ともいう）８は、スイッチやロータリーエンコーダ（ダイヤル）等の設定操作子（パネル操作子）と、設定操作子の設定を検出する設定操作検出回路から成り、設定操作の内容に対応する設定操作情報をデータ処理部に導入し、データ処理部は、この設定操作情報に基づき装置各部について種々の設定を行う。
【００１６】
表示部９は、演奏や設定に必要な各種画面を表示するＬＣＤ等のディスプレイやＬＥＤ等のインジケータ／ランプと、これらの表示・点灯内容をデータ処理部からの指令に従って制御する表示回路から成り、演奏操作や設定操作などに関する表示援助を行う。例えば、設定操作子には、この電子音楽装置ＥＭの動作モードを音色指定モードに投入させるボイスモードボタン、所望のボイス群を選択し表示させるボイス群選択ボタン、カテゴリーサーチ画面を表示させるカテゴリーサーチボタン等があり、番号ボタンやカーソルボタン、ロータリーエンコーダ等に対するユーザ操作により、ディスプレイ（ＬＣＤ）に表示されたボイス群やカテゴリーサーチ画面から所望のボイスを選択することができる。
【００１７】
音源／効果部１０は、音源回路やＤＳＰを有する効果回路から成り、楽音信号生成部とも呼ばれる。音源回路は、演奏操作入力部７の演奏操作情報から得られる演奏データに基づくオーディオ楽音信号を生成したり、ＲＯＭ３又は不揮発記憶部４或いはＭＩＤＩＩ／Ｆ１１から得られるＭＩＤＩ演奏データに基づくオーディオ楽音信号を生成し、効果回路は、音源回路で生成されるオーディオ楽音信号に所定の効果を付与する。効果回路は、また、不揮発記憶部４等に記憶されたオーディオ楽曲データを再生して対応するオーディオ楽音信号を生成することができ、オーディオ楽曲データの再生部として機能する。サウンドシステム１７は、Ｄ／Ａ変換部やアンプ、スピーカ等を備え、音源／効果部１０から出力されるオーディオ楽音信号に基づく楽音を発生する。
【００１８】
ＭＩＤＩＩ／Ｆ１１には、この電子音楽装置ＥＭと同様にＭＩＤＩ音楽情報処理機能を有する外部ＭＩＤＩ機器ＭＤが接続され、ＭＩＤＩＩ／Ｆ１１を通じて外部ＭＩＤＩ機器ＭＤと電子音楽装置ＥＭとの間でＭＩＤＩ演奏データを授受することができる。通信Ｉ／Ｆ１２にはインターネットやローカルエリアネットワーク（ＬＡＮ）などの通信ネットワークＣＮが接続され、外部のサーバコンピュータ（ＳＶ）等から制御プログラムや音楽コンテンツ等をダウンロードして記憶手段４に保存し利用することができる。この電子音楽装置ＥＭは、特に、図示のように、「音楽コンテンツ提供サーバ」と呼ばれるサーバコンピュータＳＶと通信し、音楽コンテンツ提供サーバＳＶから、電子音楽装置ＥＭに用意された音色データに対応したオーディオ楽曲データを試聴したり購入することができる。
【００１９】
〔システム構成例〕
この発明の一実施例による電子音楽装置ＥＭは、楽音信号の生成に利用可能な音色データ（ボイス）を多数備えており、これらの音色データから所望の音色データを指定すると、当該音色データをプロの演奏家等が実際に使用して作成した模範的なオーディオ楽曲データを電子音楽装置ＥＭのユーザに紹介する音色指定楽曲紹介機能を有している。この音色指定楽曲紹介機能では、ユーザが希望すれば、さらに、当該オーディオ楽曲データを音楽コンテンツ提供サーバＳＶから試聴したり購入することができる。図２は、この発明の一実施例による音色指定楽曲紹介システムの構成例を示し、図２（１）のシステム構成例１では、音色データを使用したオーディオ楽曲データに関する情報（楽曲情報という）がサーバＳＶ側から紹介され、図２（２）のシステム構成例２では、電子音楽装置ＥＭ自身で楽曲情報が紹介される。
【００２０】
図２（１）のシステム構成例１において、電子音楽装置ＥＭは、ＲＯＭ３上のプリセットボイス領域内に、予め、バンク（ＰＲＥ１，ＰＲＥ２，…）毎かつボイスナンバ（００１，００２，…）毎のプリセット音色データ（プリセットボイス）ＶＰを多数記憶している。各音色データＶＰは、オリジナル音色データ（オリジナルボイス）とも呼ばれ、複数の音色パラメータ：ボイスパラメータ１，２，…から成る。また、電子音楽装置ＥＭでは、ユーザ操作によりオリジナル音色データＶＰを編集することができ、この編集で得られた複数のユーザ音色データ（ユーザボイス）ＶＵを不揮発メモリ４上のユーザボイス領域内に記憶することができる。各ユーザ音色データＶＵは、編集対象になったオリジナル音色データＶＰのプリセットボイス領域におけるバンク（ＰＲＥ１，ＰＲＥ２，…の何れか）及びボイス番号（００１，００２，…の何れか）でオリジナル音色データＶＰを指定するオリジナルボイス指定情報と、複数のユーザ音色パラメータ：ボイスパラメータ１，２，…から成る。
【００２１】
一方、このような電子音楽装置ＥＭが通信ネットワークＣＮを介してアクセス可能な音楽コンテンツ提供サーバＳＶには、音楽コンテンツ購入データベースＣＢ及びサーバ内関連付けデータベースＤＢｓが構築されている。音楽コンテンツ購入データベースＣＢは、オーディオ楽曲集（アルバム）毎の音楽コンテンツ購入情報レコードＲＢを多数蓄積しており、各レコードＲＢは、夫々の楽曲集を特定する楽曲集ＩＤ情報（単に「楽曲集ＩＤ」ともいう）Ａｉｄ、楽曲集（アルバムジャケット）の画像情報Ａｊ、当該楽曲集に収録されている各オーディオ楽曲データについて、試聴ストリーム配信用に作成した試聴ストリーム配信用オーディオ楽曲データＡｄａ：Ａｄａ１，Ａｄａ２，…、当該楽曲集に収録されている各オーディオ楽曲データをそのまま記録した購入ダウンロード用オーディオ楽曲データＡｄｂ：Ａｄｂ１，Ａｄｂ２，…、その他、購入手続きのための購入手続きデータＢｄ：Ｂｄ１，Ｂｄ２，…などで構成されている。また、サーバ内関連付けデータベースＤＢｓには、機種情報Ｍｄ及び音色データ（ボイス）ＶＣ毎かつオーディオ楽曲データＡＤ毎の関連付け情報レコードＲＲが多数蓄積されており、各関連付け情報レコードＲＲは、機種情報Ｍｄ、音色指定情報Ｖｓ、音色使用情報Ａｐ、タグ情報Ｔｇ、ランク情報Ｒｎなどで構成される。
【００２２】
各関連付け情報レコードＲＲにおいて、機種情報Ｍｄ及び音色指定情報Ｖｓは、夫々の音色データＶＣを特定するための情報であり、機種情報Ｍｄは、当該音色データＶＣが搭載されている電子音楽装置のメーカー及び機種を表わし、音色指定情報Ｖｓは、当該音色データＶＣが記録されている「バンク」、当該バンク内において当該音色データＶＣに付けられた「ボイスナンバ」と呼ばれる「音色データ番号」から成る。音色使用情報Ａｐは、夫々の音色データＶＣについて、夫々のオーディオ楽曲データＡＤで使用されている音色パラメータ（ボイスパラメータ）群や、楽曲データＡＤのどのパートでどの時間的部分に使われているかを表わす使用状況情報を含む。予めプリセット音色データＶＰとして各電子音楽装置ＥＭに搭載されているオリジナル音色データ中の音色パラメータを編集してオーディオ楽曲データＡＤが作成されている場合は、編集対象とされたオリジナル音色データが音色指定情報Ｖｓで特定され、音色使用情報Ａｐには、さらに、当該オリジナル音色データの音色パラメータが編集されていることを示す情報や、編集された音色パラメータのオリジナルからの差分情報（変更内容）などの編集情報が含まれる。
【００２３】
タグ情報Ｔｇは、夫々の機種情報Ｍｄで指定される機種の音色データＶＣが使用されている夫々のオーディオ楽曲データＡＤを特定するための情報であり、当該オーディオ楽曲データＡＤの楽曲タイトル、当該オーディオ楽曲データＡＤが収録されている楽曲集（アルバム）のタイトル（アルバム名）及びＩＤ（即ち、楽曲集ＩＤＡｉｄ）、当該楽曲集において当該オーディオ楽曲データＡＤが何番目の楽曲であるかを示す楽曲集内での楽曲番号、当該オーディオ楽曲データＡＤを作成（演奏）したアーティストの名称（アーティスト名）などのアルバム情報が含まれ、さらに、当該オーディオ楽曲データＡＤに関するＩＳＲＣ（International Standard Recoding Code：国際標準レコーディングコード）や楽曲説明用テキスト情報などの楽曲案内情報が含まれる。また、ランク情報Ｒｎは、当該オーディオ楽曲データＡＤにおける当該音色データＶＣの使用頻度から見たお薦め具合をランクで表わす情報であり、例えば、使用頻度の高さ順にランクＡ，Ｂ，Ｃ，…に分けてお薦め具合をユーザに提示するのに用いられる。
【００２４】
システム構成例１では、上述のように、音楽コンテンツ提供サーバＳＶの関連付けデータベースＤＢｓには、アルバム名・曲名・アーティストなどの音楽ＣＤ情報を含むタグ情報Ｔｇと電子音楽装置ＥＭで利用される音色データを示す機種情報Ｍｄ及び音色指定情報Ｖｓとを関連付けた関連付け情報レコードＲＲが搭載されている。従って、電子音楽装置ＥＭにて、例えば、演奏操作（７）による演奏のために、用意された多数の音色データの中からユーザ所望の音色データＶＣを選択した際に、音楽コンテンツ提供サーバＳＶにアクセスすると、音楽コンテンツ提供サーバＳＶは、関連付けデータベースＤＢｓの関連付け情報レコードＲＲから、電子音楽装置ＥＭの機種情報Ｍｄに対応し、かつ、選択された音色データ（選択された音色データが編集されている場合はそのオリジナル音色データ）ＶＣを示す音色指定情報Ｖｓに対応する関連付け情報レコードＲＲを探索する。次いで、探索した各関連付け情報レコードＲＲのタグ情報Ｔｇに従って、選択中の音色データＶＣ（或いはそのオリジナル音色データ）を使用したオーディオ楽曲データＡＤが収録されている音楽ＣＤのタイトル、当該オーディオ楽曲データＡＤの楽曲名、アーティスト名などから成る楽曲情報を電子音楽装置ＥＭに送る。この際、各楽曲情報は、対応する各関連付け情報レコードＲＲのランク情報Ｒｎに従って順序付けられており、例えば、ランクＡ，Ｂ，Ｃ，…が付記される。
【００２５】
電子音楽装置ＥＭでは、サーバＳＶから送信された楽曲情報が順序付けに従ってリストでディスプレイ（９）に表示され、表示された楽曲情報のリストからユーザ所望の楽曲情報を選択すると、音楽コンテンツ提供サーバＳＶの音楽コンテンツ購入データベースＣＢは、選択された楽曲情報に対応する楽曲集ＩＤＡｉｄに従って音楽コンテンツ購入情報レコードＲＢを探索し、探索した音楽コンテンツ購入情報レコードＲＢのアルバムジャケット画像情報Ａｊを電子音楽装置ＥＭに送る。電子音楽装置ＥＭでは、送られた画像情報Ａｊに基づいてアルバムジャケット画像がディスプレイ（９）に表示され、選択された楽曲情報に対応するオーディオ楽曲データＡＤについて、楽曲案内情報（Ｔｇ）や使用状況情報（Ａｐ）などの、より詳細な楽曲情報が併せて表示されると共に、さらに、ディスプレイ画面を通じて、試聴サービス乃至購入サービスを受けるか否かが打診される。
【００２６】
ここで、試聴サービス受容のユーザ操作があると、サーバＳＶは、この操作に応じて、探索した音楽コンテンツ購入情報レコードＲＢの試聴ストリーム配信用オーディオ楽曲データＡｄａを電子音楽装置ＥＭに送る。電子音楽装置ＥＭでは、サーバＳＶから送られてくるオーディオ楽曲データＡｄａを電子音楽装置ＥＭにてストリーミング受信し、音源／効果部１０内の効果回路及びサウンドシステム１７を通じて試聴することができる。また、電子音楽装置ＥＭで購入サービス受容のユーザ操作があると、サーバＳＶは、この操作に応じて、探索した音楽コンテンツ購入情報レコードＲＢの購入ダウンロード用オーディオ楽曲データＡｄｂを電子音楽装置ＥＭに送ると共に、購入手続きデータＢｄを更新する。電子音楽装置ＥＭは、サーバＳＶから送信されたオーディオ楽曲データＡｄｂをダウンロードして不揮発メモリ４に蓄積する。そして、このようにしてオーディオ楽曲データＡｄｂを購入すると、以後は、必要時に、これを再生して聴取することができる。
【００２７】
図２（２）のシステム構成例２においては、電子音楽装置ＥＭ内に装置内関連付けデータベースＤＢｅが構築されており、電子音楽装置ＥＭ内でプリセット音色データＶＰ或いはユーザ音色データＶＵに関連する楽曲情報ＲＲを紹介することができる。システム構成例２では、電子音楽装置ＥＭは、システム構成例１と同様に、ＲＯＭ３上にはプリセット音色データＶＰを記憶しており、不揮発メモリ４上にはユーザ音色データＶＵを記憶することができる。電子音楽装置ＥＭは、さらに、図２（１）のシステム構成例１の音楽コンテンツ提供サーバＳＶに備えられた関連付けデータベースＤＢｓと同様の機能を有する装置内関連付けデータベースＤＢｅが、不揮発メモリ４を含む電子音楽装置ＥＭ内に構築される。なお、装置内関連付けデータベースＤＢｅに蓄積される関連付け情報レコードＲＲには機種情報Ｍｄを含ませなくてもよい。このような構成例１によると、音楽コンテンツ提供サーバＳＶは、構成例１の音楽コンテンツ購入データベースＣＢを備えるだけで、システム構成例１と同様のオーディオ楽曲紹介機能を実現することができる。
【００２８】
つまり、システム構成例２では、音楽ＣＤ情報を含むタグ情報Ｔｇと当該電子音楽装置ＥＭで利用される音色データを示す音色指定情報Ｖｓとを関連付けた関連付け情報レコードＲＲを不揮発メモリ４のレコード記憶領域に蓄積して管理する関連付けデータベースＤＢｅが電子音楽装置ＥＭに搭載されている。従って、電子音楽装置ＥＭにおいて、ユーザ所望の音色データＶＣを選択すると、自身の関連付けデータベースＤＢｅから、選択された音色データ（或いはそのオリジナル音色データ）ＶＣを示す音色指定情報Ｖｓに対応する関連付け情報レコードＲＲを探索し、探索した各関連付け情報レコードＲＲのタグ情報Ｔｇに従って、選択中の音色データＶＣに関連するオーディオ楽曲データＡＤに関する楽曲情報を、各ランク情報Ｒｎに従ってリストでディスプレイ（９）に表示する。
【００２９】
表示された楽曲情報のリストからユーザ所望の楽曲情報を選択し、音楽コンテンツ提供サーバＳＶにアクセスすると、音楽コンテンツ提供サーバＳＶの音楽コンテンツ購入データベースＣＢは、選択された楽曲情報に対応する楽曲集ＩＤＡｉｄに従って音楽コンテンツ購入情報レコードＲＢを探索する。以後は、システム構成例１と同様に動作し、サーバＳＶと交信しつつ、探索した音楽コンテンツ購入情報レコードＲＢに従ったアルバムジャケット画像や、選択された楽曲情報に対応するオーディオ楽曲データＡＤに関するより詳細な楽曲情報を表示すると共に、試聴乃至購入サービスを打診し、さらに、サービス受容ＯＫのユーザ操作によって当該オーディオ楽曲データＡＤを試聴したり購入することができる。
【００３０】
以上のように、この発明の一実施例による音色指定楽曲紹介システムでは、楽音信号の生成に用いられる複数の音色データＶＰ，ＶＵが電子音楽装置ＥＭの音色記憶手段３，４に記憶されている。これらの音色データの中から所望の音色データを指定すると、音楽コンテンツ提供サーバＳＶ又は電子音楽装置ＥＭ内の関連付けデータベースＤＢｓ，Ｄｂｅの関連付け情報レコードＲＲから、指定された音色データ（ユーザ音色データＶＵの場合はそのオリジナル音色データＶＰ）ＶＣを使用して作成されたオーディオ楽曲データＡＤが検索され、検索されたオーディオ楽曲データＡＤに関する楽曲情報Ｔｇが電子音楽装置ＥＭのディスプレイ（９）に表示される。また、電子音楽装置ＥＭで、検索されたオーディオ楽曲データＡＤについて試聴或いは購入を指示すると、サーバＳＶから送信される当該オーディオ楽曲データＡＤの試聴用データＡｄａを試聴することができ、或いは、サーバＳＶから送信される当該オーディオ楽曲データＡＤの購入用データＡｄｂを購入しダウンロードすることができる。
【００３１】
〔音色指定楽曲紹介処理の動作フロー例〕
図３は、この発明の一実施例による音色指定楽曲紹介処理の例を表わすフローチャートを示す。電子音楽装置ＥＭでは、任意の動作モードで音色指定楽曲紹介モードの指定操作があると、音色指定楽曲紹介モードに入り、ＣＰＵ１は、この音色指定楽曲紹介処理を開始し、まず、ステップＳ１で、ボイス選択操作がなされたか否かを判定する。ここで、ボイス選択操作以外の操作（例えば、このモードのキャンセル操作或いは他モードの指定操作）があると（Ｓ１＝ＮＯ）、直ちにこの音色指定楽曲紹介処理を終了し、所定のモード（元のモード或いは他モード）に移行する。
【００３２】
一方、ボイス選択操作がなされたと判定したときは（Ｓ１＝ＹＥＳ）、ステップＳ２に進み、ボイス選択操作に基づきバンク（ＰＲＥ１，ＰＲＥ２，…；ＵＳＲ１，ＵＳＲ２，，…）とボイスナンバ（００１，００２，…）とを指定する。なお、ボイス選択操作には、カテゴリーサーチ操作やボイスボタン操作などがあり、カテゴリーサーチ操作では、ディスプレイ（９）に表示されるカテゴリーサーチ画面を使用して、ピアノ系、キーボード系、オルガン系、ギター系、…などの音色カテゴリーの指定に応じたボイスリストを表示しボイスリストから所望の音色データを選択し、ボイスボタン操作では、設定操作検出部８の音色指定用スイッチやロータリーエンコーダ等の操作のみで所望の音色データを選択することができる。
【００３３】
次のステップＳ３では、ステップＳ２で指定されたバンク及びボイスナンバとで特定される音色データに基づいて、各ボイスパラメータを音源／効果部１０に設定する。この設定以降は、演奏操作検出部７で演奏操作が検出され、或いは、不揮発メモリ４の自動演奏データによるＭＩＤＩ入力があると、音源／効果部１０では、設定された各ボイスパラメータに応じた楽音信号が生成される。
【００３４】
更に次のステップＳ４では、ステップＳ２で指定されたバンク及びボイスナンバで表わされる音色指定情報Ｖｓをキーとして、構成例１の場合は〔図２（１）〕音楽コンテンツ提供サーバＳＶ上の関連付けデータベースＤＢｓで、或いは、構成例２の場合には〔図２（２）〕電子音楽装置ＥＭに内蔵される関連付けデータベースＤＢｅで、関連付け情報レコードＲＲを検索し、検索された関連付け情報レコードＲＲから、音色指定情報で特定される音色データを使用したオーディオ楽曲データのタグ情報Ｔｇ及びランク情報Ｒｎを取得する。なお、ステップＳ２で指定されたバンク及びボイスナンバで特定される音色データがユーザ音色データＶＵの場合は、当該ユーザ音色データＶＵのオリジナルボイス指定情報が検索用音色指定情報に用いられる。また、サーバＳＶの関連付けデータベースＤＢｓで関連付け情報レコードＲＲを検索する場合〔図２（１）構成例１の場合〕、バンク及びボイスナンバから成る音色指定情報Ｖｓと電子音楽装置ＥＭの機種情報Ｍｄとの組をサーバＳＶに送り、サーバＳＶはその組をキーとして検索する。
【００３５】
次いで、ステップＳ５において、ステップＳ４で取得したタグ情報Ｔｇ及びランク情報Ｒｎに基づいて、タグ情報Ｔｇに含まれる所要のアルバム情報などを、当該音色データを使用したオーディオ楽曲データに関する楽曲情報として、ランク情報Ｒｎが示すランクの順にリスト形式でディスプレイ（９）上に表示（提示）する。そして、続くステップＳ６にて、提示されたリストに対する楽曲情報の選択操作がなされたか否かを判定し、選択操作がなされたときは（Ｓ６＝ＹＥＳ）、音楽コンテンツ提供サーバＳＶにアクセスして選択操作情報を送り、音楽コンテンツ提供サーバＳＶの音楽コンテンツ購入データベースＣＢでは、選択操作がなされた所望の楽曲情報に対応する関連付け情報レコードＲＲのタグ情報Ｔｇが示す楽曲集ＩＤＡｉｄ、つまり、所望の楽曲情報に対応する所望のオーディオ楽曲データを収録した楽曲集（アルバム）のＩＤをキーとして、音楽コンテンツ購入情報レコードＲＢが検索される。そして、順次、ステップＳ７〜Ｓ１０に進む。
【００３６】
まず、ステップＳ７では、所望の楽曲情報に対応する楽曲集ＩＤＡｉｄをキーとして検索された音楽コンテンツ購入情報レコードＲＢのアルバムジャケット画像データＡｊをサーバＳＶから取得する。続くステップＳ８では、取得したアルバムジャケット画像データＡｊに基づいて、所望のオーディオ楽曲データを収録した楽曲集（アルバム）のジャケット画像を表示し、所望の楽曲情報に対応する関連付け情報レコードＲＲのタグ情報Ｔｇ及び音色使用情報Ａｐに従い、所望のオーディオ楽曲データについて、より詳細な楽曲案内を行うと共に、当該オーディオ楽曲データの試聴乃至購入をユーザに打診する。より詳細な楽曲案内としては、例えば、指定した音色が何曲目の楽曲のどの部分（時間的位置）で使われているかや、どのパートで使われているかを表示し、音色データが編集されている場合には、さらに、編集情報に従って編集された音色パラメータや、当該音色パラメータのオリジナルからの変更内容などを表示する。また、試聴乃至購入を打診するために、例えば、「試聴」ボタン及び「購入」ボタンを操作可能に表示する。
【００３７】
次に、ステップＳ９にて、ユーザにより「試聴」したい旨の操作があると、楽曲集ＩＤＡｉｄ及び楽曲番号を音楽コンテンツ提供サーバＳＶに送り、音楽コンテンツ提供サーバＳＶから試聴サービスを受ける。つまり、サーバＳＶの音楽コンテンツ購入データベースＣＢは、この「試聴」操作に応じて、所望の楽曲情報に対応する関連付け情報レコードＲＲのタグ情報Ｔｇに含まれる楽曲集ＩＤＡｉｄ及び楽曲番号に基づき、楽曲集ＩＤＡｉｄをキーとして検索し、検索された音楽コンテンツ購入情報レコードＲＢのオーディオ楽曲データＡｄａ１，Ａｄａ２，…のうち指定された楽曲番号に対応する試聴ストリーム配信用オーディオ楽曲データＡｄａを読み出して電子音楽装置ＥＭに送信する。電子音楽装置ＥＭでは、サーバＳＶから受信した楽曲データＡｄａをテンポラリメモリ（ＲＡＭ２）を通じて音源／効果部１０内の効果回路に入力して、この楽曲データＡｄａに基づく楽音信号を再生させ、サウンドシステム１７から対応する楽音が放音される。従って、ユーザは、この楽音を試聴し、指定した音色データを使用したプロの演奏を即座に実感することができる。
【００３８】
ステップＳ９の試聴処理の後、或いは、「試聴」操作がなくステップＳ９をスルーした後は、ステップＳ１０に進み、ユーザにより「購入」したい旨の操作があると、楽曲集ＩＤＡｉｄ及び楽曲番号を音楽コンテンツ提供サーバＳＶに送り、音楽コンテンツ提供サーバＳＶから購入サービスを受ける。つまり、サーバＳＶは、この「購入」操作に応じて、所望の楽曲情報に対応する関連付け情報レコードＲＲのタグ情報Ｔｇに含まれる楽曲集ＩＤＡｉｄ及び楽曲番号に基づき、楽曲集ＩＤＡｉｄをキーとして検索し、検索された音楽コンテンツ購入情報レコードＲＢのオーディオ楽曲データＡｄａ１，Ａｄａ２，…のうち指定された楽曲番号に対応する購入ダウンロード用オーディオ楽曲データＡｄｂを電子音楽装置ＥＭに送信すると共に、当該購入ダウンロード用オーディオ楽曲データＡｄｂに対応する購入手続きデータＢｄを更新し、当該楽曲データＡｄｂを電子音楽装置ＥＭに販売した旨を記録する。電子音楽装置ＥＭでは、サーバＳＶから受信したオーディオ楽曲データＡｄｂをダウンロードして不揮発メモリ４のオーディオエリアに蓄積する。このようにして所望のオーディオ楽曲データＡｄｂを購入した場合は、以後、このオーディオ楽曲データＡｄｂを音源／効果部１０内の効果回路で再生し、この楽曲データＡｄａに基づく楽音をサウンドシステム１７から聴取することができる。例えば、この楽曲データＡｄａの再生に同期して、演奏操作（７）を行うと、バンドメンバになったかのように演奏を体験することができる。
【００３９】
ステップＳ６で、提示されたリストに対する楽曲情報の選択操作がなされなかったとき（Ｓ６＝ＮＯ）、ステップＳ１０の購入処理の後、或いは、「購入」操作がなくステップＳ１０をスルーした後は、ステップＳ１１に進んで、終了操作がなされたか否かを判定する。ここで、終了操作がなされなかったときは（Ｓ１１＝ＮＯ）、ステップＳ６に戻り、上述したステップＳ６〜Ｓ１１の処理を繰り返す。そして、ステップＳ１１で終了操作がなされたと判定すると（Ｓ１１＝ＹＥＳ）、この音色指定楽曲紹介処理を終了し元のモードに復帰する。
【００４０】
〔種々の実施態様〕
以上、この発明の好適な一実施例について説明したが、これは単なる一例であって、この発明は、発明の精神を逸脱しない範囲で種々の変更が可能であり、種々の態様で実施することができる。例えば、音楽コンテンツ購入情報レコード（ＲＢ）に付与される楽曲集ＩＤ（Ａｉｄ）は、楽曲集を特定できるものであれば何でもよい。一つの値で表わされるＩＤでなく、アーティスト名とアルバムタイトルの組み合わせのように、楽曲集を一意に特定できるような、タグ情報の複数を組み合わせたものでもよい。例えば、音楽コンテンツ購入レコードでは、楽曲集ＩＤ（Ａｉｄ）の代りに、アーティスト名及びアルバムタイトルとの組み合わせを楽曲集を特定する情報としてもつようにしてもよい。その場合、関連付けレコードＲＲ内にアーティスト名及びアルバムタイトルと楽曲集ＩＤ（Ａｉｄ）とを持つようにしたが、楽曲集ＩＤ（Ａｉｄ）は省略してよい。
【００４１】
実施例（システム構成例１）では、音楽コンテンツ購入データベース（ＣＢ）も関連付けデータベース（ＲＢ）も音楽コンテンツ提供サーバ（ＳＶ）上にあるとして説明したが、これに代えて、コンテンツ提供会社が運営するサーバ（ＳＶ）上で音楽ンテンツ購入データベース（ＣＢ）が管理され、電子楽器装置メーカが運営する別サーバ（ＳＶ’）上でサーバ内関連付けデータベース（ＤＢｓ）が管理され、それぞれのサーバが別々に運営されるようにしてもよい。
【００４２】
また、オーディオ楽曲データを収録した楽曲集（アルバム）については、実施例では、音楽ＣＤ（１６）で提供されるものを挙げたが、ＵＳＢフラッシュメモリ（１５）など任意の可搬性記憶媒体で提供されるものでよい。
【００４３】
実施例では、所望のオーディオ楽曲データ（Ａｄｂ）をサーバからダウンロードして購入するようにしたが、所望のオーディオ楽曲データを含む楽曲集（アルバム）を記録した音楽ＣＤなどの販売用可搬性記憶媒体（１５，１６）を、別途、郵送等で購入するようにしてもよい。
【００４４】
所望のオーディオ楽曲データを含む楽曲集（アルバム）を音楽ＣＤなどの販売用可搬性記憶媒体（１５，１６）で購入した場合、サーバ内或いは装置内関連付けデータベースＤＢｓ，ＤＢｅにおいて、購入した楽曲集（アルバム）に収録されたオーディオ楽曲データに関係する関連付け情報レコードＲＲに、記憶媒体で購入された旨を表わす記憶媒体購入情報を付記し、楽曲選択操作（Ｓ６＝ＹＥＳ）でこの関連付け情報レコードＲＲが選択され、試聴或いは購入操作があったときは（Ｓ９、Ｓ１０）、付記された記憶媒体購入情報を参照して、電子音楽装置ＥＭに装着された記憶媒体（１５，１６）から（装着されていないときは装着を指示する）、選択されたオーディオ楽曲データを読み出し再生するように構成するのが好ましい。
【符号の説明】
【００４５】
ＳＶ  音楽コンテンツ提供サーバ、
ＣＢ  音楽コンテンツデータベース、
ＲＢ  音楽コンテンツ購入情報レコード、
Ａｃｄ  楽曲集ＩＤ［情報］、
Ａｊ  アルバムジャケット画像情報、
Ａｄａ：Ａｄａ１，Ａｄａ２，…  試聴［ストリーム配信］用オーディオ楽曲データ、
Ａｄｂ：Ａｄｂ１，Ａｄｂ２，…  購入［ダウンロード］用オーディオ楽曲データ、
ＤＢｓ，ＤＢｅ  サーバ内及び装置内関連付けデータベース、
ＲＲ  関連付け情報レコード、
Ｍｄ  機種情報、
Ｖｓ  音色指定情報、
Ａｐ  音色使用情報〔音色データが編集されている場合、差分（編集情報）を含む〕、
Ｔｇ  タグ情報、
Ｒｎ  ランク情報、
ＶＰ，ＶＵ  プリセット（オリジナル）音色データ及びユーザ音色データ。
【図１】
0005630001.tif 000002
【図２】
0005630001.tif 000003
【図３】
0005630001.tif 000004